(57)【特許請求の範囲】
【請求項１】
水を循環利用する際に使用される濾過装置であって、上部に被処理水の導入口が設けられ且つ下部に濾過水の排出口が設けられた容器本体と、当該容器本体に装入されて容器本体内部を上下に仕切る濾材収容篭とを備え、当該濾材収容篭は、底部を含む下半部が多孔状の材料で構成され且つ上端面が開放された上半部が非透水性の材料で構成され、前記濾材収容篭の上半部には、格子構造の底部を各備えた２つの受皿が重箱状に積み重ねられた状態で収容され、上段側の第１の受皿には、第１のスポンジシートが濾材として敷かれ、下段側の第２の受皿には、前記第１のスポンジシートよりも低発泡の第２のスポンジシートが濾材として敷かれ、前記第１の受皿および前記第２の受皿の各側面の同等の部位には、濾材点検用窓がそれぞれ設けられ、かつ、前記容器本体の側面部および前記濾材収容篭の上半部には、前記各濾材点検用窓に重畳する位置に覗き窓が設けられていることを特徴とする濾過装置。
【請求項２】
第１の受皿には、多孔構造の蓋が第１のスポンジシートを被う状態で収容されている請求項１に記載の濾過装置。
【請求項３】
第１の受皿および第２の受皿の各側面の同等の部位には、採光用窓がそれぞれ設けられ、前記濾材収容篭の上半部には、前記各採光用窓に重畳する位置に投光用窓が設けられ、前記容器本体の側面部には、前記投光用窓に光を照射する照明具が付設されている請求項１又は２に記載の濾過装置。
【発明の詳細な説明】
【技術分野】
【０００１】
本発明は、濾過装置に関するものであり、詳しくは、浴場やプールにおいて水を循環利用する際に使用される濾過装置に関するものである。
【背景技術】
【０００２】
公衆浴場などの入浴施設、プール等においては、水を循環利用するため、各種の濾過装置が設置されており、斯かる濾過装置においては、濾材として、砂礫、珪藻土あるいは多孔質構造のセラミックが使用されている。例えば、砂礫を濾材に利用した濾過装置は、筐体の上部に被処理水の導入口を設け、筐体の下端に濾過水の排出口を設けると共に、濾材として、粒径の異なる砂礫（バラス）を筐体内に充填して構成される。そして、上記の濾過装置においては、濾材が劣化した場合、被処理水の流路の切替えによって濾材の逆洗浄も可能であるが、逆洗浄による再生効果の問題などから、通常は新しい濾材に交換する。
【先行技術文献】
【特許文献】
【０００３】
【特許文献１】特開２０１０−１１９９４４号公報
【特許文献２】特開２０１０−２６４３３４号公報
【発明の概要】
【発明が解決しようとする課題】
【０００４】
ところで、浴場などに使用される上記のような濾過装置は、濾材である砂礫などの劣化の程度に応じて濾過能力を発揮するが、筐体上部から濾材を入れ替える構造を備えており、しかも、設備規模によっては濾材の充填量が多いため、濾材の交換作業に多大な労力を必要とする。更に、濾材の劣化程度、すなわち、汚れ具合が正確に確認できないため、濾材の交換時期を逸し、その結果、十分に濾過されない状態で水を循環させる虞がある。
【０００５】
本発明は、上記の実情に鑑みてなされたものであり、その目的は、浴場などにおいて水を循環利用する際に使用される濾過装置であって、濾材の劣化状態を簡単に確認でき、しかも、濾材の交換が極めて容易な濾過装置を提供することにある。
【課題を解決するための手段】
【０００６】
上記の課題を解決するため、本発明では、上部から被処理水を導入し且つ下部から濾過水を排出する構造の容器本体の内部を上下に濾材収容篭で仕切り、当該濾材収容篭内に第１及び第２の２つの受皿を収容し、これら受皿にそれぞれ濾材として発泡倍率の異なるスポンジシートを配置することにより、被処理水を２枚のスポンジシートで濾過すると共に、濾材であるスポンジシートが劣化した場合には、容器本体から濾材収容篭を取り出し、更に濾材収容篭から２つの受皿を取り出して各スポンジシートを交換できるようにした。しかも、本発明では、第１及び第２の受皿の各側面に濾材点検用窓を設け、かつ、容器本体の側面部および濾材収容篭の上半部に覗き窓を設けることにより、各スポンジシートの表面を外部から随時視認できる様にした。
【０００７】
すなわち、本発明の要旨は、水を循環利用する際に使用される濾過装置であって、上部に被処理水の導入口が設けられ且つ下部に濾過水の排出口が設けられた容器本体と、当該容器本体に装入されて容器本体内部を上下に仕切る濾材収容篭とを備え、当該濾材収容篭は、底部を含む下半部が多孔状の材料で構成され且つ上端面が開放された上半部が非透水性の材料で構成され、前記濾材収容篭の上半部には、格子構造の底部を各備えた２つの受皿が重箱状に積み重ねられた状態で収容され、上段側の第１の受皿には、第１のスポンジシートが濾材として敷かれ、下段側の第２の受皿には、前記第１のスポンジシートよりも低発泡の第２のスポンジシートが濾材として敷かれ、前記第１の受皿および前記第２の受皿の各側面の同等の部位には、濾材点検用窓がそれぞれ設けられ、かつ、前記容器本体の側面部および前記濾材収容篭の上半部には、前記各濾材点検用窓に重畳する位置に覗き窓が設けられていることを特徴とする濾過装置に存する。
【発明の効果】
【０００８】
本発明の濾過装置によれば、容器本体の側面部および濾材収容篭の上半部に設けられた覗き窓、第１及び第２の受皿の各側面に設けられた濾材点検用窓を通じて、濾材である各スポンジシートの表面を外部から随時視認でき、その劣化状態を簡単に確認できる。そして、濾材であるスポンジシートが劣化した場合には、容器本体から濾材収容篭を取り出し、更に濾材収容篭から２つの受皿を取り出すことにより、極めて容易にこれらスポンジシートを交換することができる。
【図面の簡単な説明】
【０００９】
【図１】内部構造の一部を透視して示した本発明に係る濾過装置の外観斜視図である。
【図２】本発明に係る濾過装置の内部構造を示す縦断面図である。
【図３】本発明に係る濾過装置における濾材収容篭の構成を示す展開図である。
【発明を実施するための形態】
【００１０】
本発明に係る濾過装置の一実施形態を図面に基づいて説明する。本発明の濾過装置は、公衆浴場などの各種の入浴施設、プール等において水を循環利用する際に使用される装置である。すなわち、上記の濾過装置は、水をポンプ循環させながら濾過する方式の循環濾過システムにおいて使用される。
【００１１】
本発明の濾過装置は、図１に示す様に、上部に被処理水の導入口１１が設けられ且つ下部に濾過水の排出口１３が設けられた容器本体１と、容器本体１に上方から出し入れ可能に装入されて容器本体１内部を上下に仕切る濾材収容篭３とから主に構成される。なお、後述する濾材（第１のスポンジシート５１、第２のスポンジシート５２）や幾つかの窓部分を除き、容器本体１、濾材収容篭３及び受皿４（図２、図３参照）は、耐腐食性を高める観点から、通常はステンレスで製作される。
【００１２】
容器本体１は、外形が例えば直方体の箱状に構成される。水の処理量によっても異なるが、容器本体１の内容積は、０．１〜０．４ｍ３程度、通常は、保守管理における取扱性を考慮し、０．１５〜０．３ｍ３程度に設計される。容器本体１は、濾材収容篭３を出し入れするために上端が開口されており、容器本体１の上端開口部は、防塵を図る観点から、上蓋２で封止されるようになされている。導入口１１は、例えば浴場から回収された被処理水を容器本体１へ導入するための配管接続口であり、排出口１３は、濾過した水を浴槽やその前段の熱交換器へ供給するための配管接続口である。なお、図中、接続用の継ぎ手類や弁類は省略している。
【００１３】
また、図１に示すように、容器本体１の側面部には、濾材の状態を確認するための覗き窓１２が設けられる。覗き窓１２は、容器本体１の側面部に設けられた円形または四角形の穴にガラス板または透明アクリル板などの透明な樹脂板を取り付けて構成される。覗き窓１２の大きさは、例えば円形窓の場合で直径１００〜２００ｍｍ程度とされる。覗き窓１２は、１箇所でもよいし、複数個所設けられてもよい。図１に例示した濾過装置においては、容器本体１の１つの側面部（図１において正面）及びこれと平行な他の側面部（図１において背面）の略中央部にそれぞれ設けられている。
【００１４】
更に、容器本体１の側面部、例えば上記の覗き窓１２の設けられていない他の側面部には、濾材収容篭３の投光用窓３３（図３参照）に光を照射する照明具７が付設される。照明具７は、濾材の劣化状態および濾材の上側（上流側）の水の濁度を確認する際に光を照射するために設けられる。照明具７は、容器本体１の内部を照らすように容器本体１の側面部に直接取り付けられてもよいが、通常は、容器本体１の側面部に開口された穴にガラス板または透明な樹脂板が取り付けられてその外側に配置される。照明具７としては、濾材表面における照度が８０〜３００ｌｘ程度となるような白色光または疑似白色光を照射する光源、例えば電球１０〜４０Ｗ相当の白色ＬＥＤライトが使用される。また、図２に示すように、容器本体１の内壁部の上部には、当該容器本体内に濾材収容篭３を吊持するため、一定の幅の張出片である掛止部１ｃが設けられる。
【００１５】
濾材収容篭３は、濾材（第１のスポンジシート５１及び第２のスポンジシート５２）を収容する容器であり、水平断面が例えば略長方形に形成された有底筒状に構成される。濾材収容篭３の内容積は、通常、０．０５〜０．１５ｍ３程度に設計される。図３に示すように、濾材収容篭３は、底部を含む下半部３ａが多孔状の材料で構成され且つ上端面が開放された上半部３ｂが非透水性の材料で構成される。
【００１６】
具体的には、濾材収容篭３の下半部３ａは、多数の小孔が設けられたパンチングメタル等の金属板または金網で構成され、濾材収容篭３の上半部３ｂは、ステンレス板で構成される。濾材収容篭３の下半部３ａをパンチングメタルで構成する場合、その小孔の直径は３〜１５ｍｍ程度であり、開口率は４０〜７０％程度である。また、金網で構成する場合、その目開きは２〜９ｍｍ程度である。濾材収容篭３の下半部３ａがパンチングメタル等で構成されていることにより、濾材（第２のスポンジシート５２）が破損した場合でも、比較的大きな異物捕捉する濾材として機能させることができる。
【００１７】
また、図２に示すように、後述する受皿４（第２の受皿４ｂ）を濾材収容篭３の内部で吊持するため、濾材収容篭３は、例えば、上半部３ｂを構成するステンレス板の内周部分に対し、下半部３ａを構成するパンチングメタルの上縁部分が接合されており、上半部３ｂと下半部３ａとの接合部が段差部に形成される。そして、斯かる段差部に第２の受皿４ｂの受皿本体の外周縁が引掛るようになされている。
【００１８】
図２及び図３に示すように、濾材収容篭３には、当該濾材収容篭を容器本体１に出し入れするため、例えば上部の平行な２辺部にそれぞれ把手３１が設けられる。更に、濾材収容篭３の上半部３ｂの上端周縁には、当該濾材収容篭を容器本体１において吊持するため、前述の掛止部１ｃ（図２参照）に引掛る一定の幅の張出片（鍔）３ｃが設けられる。
【００１９】
また、図３に示すように、濾材収容篭３の上半部３ｂには、濾材の状態を確認するための覗き窓３２が設けられる。覗き窓３２は、濾材収容篭３の上半部３ｂの側面に設けられた例えば四角形の穴にガラス板または透明アクリル板などの透明な樹脂板を取り付けて構成される。覗き窓１２の大きさは、一辺の長さを１００〜２００ｍｍ程度とされる。覗き窓３２は、前述の覗き窓１２に対応する位置に設けられ、図に例示した濾過装置においては、濾材収容篭３の上半部３ｂの１つの側面（図１、図３において正面）及びこれと平行な他の側面（図１、図３において背面）の略中央部にそれぞれ設けられている。
【００２０】
更に、濾材収容篭３の上半部３ｂには、上記の照明具７の光を透過するための投光用窓３３が設けられる。投光用窓３３は、濾材収容篭３の上半部３ｂの覗き窓３２のない他の側面に設けられ、上記の覗き窓３２と同様に、濾材収容篭３の上半部３ｂに設けられた四角形または円形の穴にガラス板または透明アクリル板などの透明な樹脂板を取り付けて構成される。投光用窓３３の大きさは、一辺の長さ又は直径を１００〜２００ｍｍ程度とされる。
【００２１】
また、図２に示すように、濾材収容篭３の上半部３ｂには、格子構造の底部を各備えた２つの受皿４、すなわち、第１の受皿４ａ及び第２の受皿４ｂが重箱状に上下に積み重ねられた状態で収容される。第１の受皿４ａ及び第２の受皿４ｂは、図３に示すように、濾材収容篭３に対して上方から出し入れ可能に装入される。上記の２つの受皿４は、後述する２つ濾材（第１のスポンジシート５１と第２のスポンジシート５２）を交換可能に収容すると共に、濾材間に隙間を形成し、濾材に被処理水を均一に透過させるために配置される。
【００２２】
上段および下段の各受皿４は、部品数を減らし且つ製造コストを低減するため、同一形状で且つ同一寸法に設計される。受皿４の受皿本体（濾材を収容する上側部分）は、水平断面が例えば長方形に形成されて濾材収容篭３の上半部３ｂの内周部に緩く嵌合する浅皿状に構成され、その底部は、格子構造に構成される。受皿４の受皿本体の深さは、３０〜５０ｍｍ程度に設計され、底部の格子の開口の一辺は、３０〜１００ｍｍ程度に設計される。なお、本発明において、受皿４の底部の格子構造とは、目開きの比較的大きな網目構造を含む概念であり、水の抵抗が少なく且つ濾材（第１のスポンジシート５１及び第２のスポンジシート５２）を安定して支持し得る限り、特に形状を限定されるものではない。
【００２３】
各受皿４の１つの側面（図３において正面）及びこれと平行な他の側面（図３において背面）の略中央部には、濾材（第１のスポンジシート５１又は第２のスポンジシート５２）の状態を確認するための濾材点検用窓４２が設けられる。濾材点検用窓４２は、前述の覗き窓３２と同様に、受皿４の受皿本体の側面に設けられた例えば長方形の穴にガラス板または透明アクリル板などの透明な樹脂板を取り付けて構成される。濾材点検用窓４２の大きさは、短辺部の長さ（高さ）を２０〜３５ｍｍ程度、長辺部の長さを１００〜２００ｍｍ程度とされる。濾材点検用窓４２は、前述の覗き窓３２に対応する位置に設けられる。
【００２４】
更に、各受皿４には、前述の照明具７の光を導入するための採光用窓４３が設けられる。採光用窓４３は、受皿４の受皿本体の濾材点検用窓４２の設けられていない側面に設けられ、前述の投光用窓３３と同様に、受皿４の側面に設けられた例えば長方形の穴にガラス板または透明アクリル板などの透明な樹脂板を取り付けて構成される。採光用窓４３の大きさは、短辺部の長さ（高さ）を２０〜３５ｍｍ程度、長辺部の長さを１００〜２００ｍｍ程度とされる。
【００２５】
各受皿４の下端側（受皿本体の底部の下側）には、受皿本体の内周部に嵌合するスカート部４１が設けられる。スカート部４１は、受皿４の底部に対し、受皿本体のほぼ板厚分だけ内側に後退した位置に立ち下げられた状態で設けられる。スカート部４１の高さ（上下方向に亙る幅）は、濾材（後述する第２のスポンジシート５２）の厚さ分だけ受皿本体の深さよりも短く設定される。
【００２６】
上段の第１の受皿４ａのスカート部４１は、下段側の第２の受皿４ｂに積み重ねる際に当該第２の受皿の受皿本体に対する嵌合部として機能し、これにより、受皿４同士は、上下に積み重ねることができる。また、第１の受皿４ａのスカート部４１は、下段の第２の受皿４ｂに敷かれた濾材（第２のスポンジシート５２）の周縁を押えて当該濾材の遊動を規制する。従って、上下に受皿４を重ねた場合には、濾材（第２のスポンジシート５２）の水流による変形を防止できる。
【００２７】
一方、下段の第２の受皿４ｂのスカート部４１は、当該第２の受皿を濾材収容篭３に装入する際に濾材収容篭３の下半部３ａに対する嵌合部として機能する。すなわち、スカート部４１は、濾材収容篭３の下半部３ａの内側に勘合する大きさに設計される。従って、図２に示すように、第２の受皿４ｂを装入した場合には、濾材収容篭３の下半部３ａと上半部３ｂの前述の段差部分に対して、受皿４の底部とスカート部４１との段差部分が引掛り、その結果、濾材収容篭３内で第２の受皿４ｂを吊持することができる。
【００２８】
また、第１の受皿４ａを第２の受皿４ｂに積み重ねた際、上段の第１の受皿４ａのスカート部４１によって下段の第２の受皿４ｂの濾材点検用窓４２及び採光用窓４３が塞がれないように、受皿４のスカート部４１は、濾材点検用窓４２及び採光用窓４３に対応する各部位が開口されている。
【００２９】
図２及び図３に示すように、上段側の第１の受皿４ａには、第１のスポンジシート５１が濾材として敷かれ、下段側の第２の受皿４ｂには、第１のスポンジシート５１よりも目の細かい第２のスポンジシート５２が濾材として敷かれる。例えば浴場水の循環に使用される場合、第１のスポンジシート５１は、被処理水に混入している比較的大きな異物、具体的には毛髪、タオル等の糸くず、皮膚片などを除去するための濾材であり、第２のスポンジシート５２は、被処理水に混入している更に小さな異物、具体的には垢、滑り、濁り等を除去するための濾材である。
【００３０】
上記のスポンジシート５１，５２としては、伸張性および通水性に優れた濾過用の各種スポンジシート、例えば、ポリウレタン、塩化ビニル、ポリエチレン等の各種合成樹脂から成るスポンジシートが使用される。斯かるスポンジシートの嵩密度（目の粗さ）は、第１のスポンジシート５１の場合で３０〜６０ｋｇ／ｍ３程度、第２のスポンジシート５２の場合で５０〜８０ｋｇ／ｍ３程度とされる。すなわち、第２のスポンジシート５２として、第１のスポンジシート５１よりも低発泡のもの（目の細かいもの）が使用される。各スポンジシート５１，５２の厚さ（吸水していない常態厚さ）は、３〜１０ｍｍ程度である。第１のスポンジシート５１及び第２のスポンジシート５２の密度を上記の範囲に設定し、捕捉する異物を大きさで区別することにより、濾過機能および耐久性を高め、かつ、処理流量を十分に確保することができる。
【００３１】
また、第１の受皿４ａには、多孔構造の蓋６が第１のスポンジシート５１を被う状態で濾材として収容される。すなわち、蓋６が落し蓋として第１の受皿４ａに被せられる。蓋６は、多数の小孔が設けられたパンチングメタル等の金属板または金網で構成され且つ深さの浅い逆椀型状に形成される。蓋６をパンチングメタルで構成する場合、その小孔の直径は３〜１５ｍｍ程度であり、開口率は４０〜７０％程度である。また、蓋６を金網で構成する場合、その目開きは２〜９ｍｍ程度である。
【００３２】
蓋６は、第１の受皿４ａに敷かれた第１のスポンジシート５１の周縁を押えて当該スポンジシートの遊動を規制する。従って、第１の受皿４ａに蓋６を落し込むことにより、濾材（第１のスポンジシート５１）の水流による変形を防止できる。また、蓋６は、また、比較的大きな異物の濾材収容篭３への流入を抑制するように機能し、第１のスポンジシート５１が閉塞するのを防止する。例えば浴場水の循環に使用される場合には、被処理水に混入した比較的大きな異物、具体的には包装容器、包装容器の蓋、包装袋、紙片などを蓋６によって除去することができる。
【００３３】
上記のように、本発明の濾過装置においては、容器本体１の外部から濾材である第１のスポンジシート５１及び第２のスポンジシート５２の劣化状態を視認できるように、第１の受皿４ａ及び第２の受皿４ｂの各側面の同等の部位には、これら受皿の内部を観察する濾材点検用窓４２がそれぞれ設けられており、容器本体１の側面部および濾材収容篭３の上半部３ｂには、各濾材点検用窓４２に重畳する位置に覗き窓１２，３２が設けられている。
【００３４】
更に、本発明の濾過装置においては、濾材収容篭３の内部、換言すれば、第１のスポンジシート５１及び第２のスポンジシート５２の各表面をより確実に確認できるように、第１の受皿４ａ及び第２の受皿４ｂの各側面の同等の部位には、これら受皿の内部に光を導入する採光用窓４３がそれぞれ設けられ、濾材収容篭３の上半部３ｂには、各採光用窓４３に重畳する位置に投光用窓３３が設けられ、そして、容器本体１の側面部には、投光用窓３３に光を照射する照明具７が付設されている。
【００３５】
次に、本発明の濾過装置の使用方法および機能について説明する。本発明の濾過装置を使用する場合には、濾材である第１のスポンジシート５１及び第２のスポンジシート５２と共に濾材収容篭３を容器本体１内に配置する。スポンジシート５１，５２の装着は、濾材収容篭３にスポンジシート５１，５２を収容した後、容器本体１に濾材収容篭３を装入してもよいし、予め容器本体１に濾材収容篭３だけを装入し、これにスポンジシート５１，５２を収めるようにしてもよい。濾材収容篭３の組立においては、先ず、濾材収容篭３に第２の受皿４ｂを落し込んだ後、当該第２の受皿に第２のスポンジシート５２を敷き、次いで、第２の受皿４ｂに第１の受皿４ａを積み重ね、当該第１の受皿に第１のスポンジシート５１を敷く。そして、第１の受皿４ａに蓋６を落し込み、斯かる蓋６によって第１のスポンジシート５１を押える。また、濾材収容篭３を装入した後は、容器本体１に上蓋２を被せる。
【００３６】
上記の様に組み立てられた濾過装置においては、循環濾過システムの稼働により、被処理水が導入口１１から流入し、濾材収容篭３を通過して濾過された濾過水が排出口１３から排出される。例えば浴場水を濾過する場合、濾材収容篭３に被せた蓋６は、被処理水に混入したシャンプー等の包装容器やその蓋、包装袋、紙片などの比較的大きな異物が濾材収容篭３内へ流れ込むのを防止する。第１のスポンジシート５１は、被処理水に混入した毛髪、糸くず等の小さな異物を捕捉し、また、第２のスポンジシート５２は、垢、滑り、濁り等の更に小さな異物を捕捉する。すなわち、本発明の濾過装置においては、蓋６及び発泡倍率の異なる２種類の第１のスポンジシート５１、第２のスポンジシート５２を備えており、大型の異物から微細な異物までをそれぞれ別個に捕捉できる。従って、本発明の濾過装置は、目詰まりが少なく、長く濾過機能を維持できる。
【００３７】
一方、日常点検においては、濾材の劣化状態、換言すれば、汚れ具合を簡単に確認できる。濾材（スポンジシート５１，５２）の状態を確認するには、照明具７を点灯させ、濾材収容篭３の投光用窓３３、第１の受皿４ａ及び第２の受皿４ｂの各採光用窓４３を通じて、第１の受皿４ａ及び第２の受皿４ｂの内部を照光する。そして、容器本体１の側面部の覗き窓１２、濾材収容篭３の上半部３ｂの覗き窓３２ならびに第１の受皿４ａ及び第２の受皿４ｂの各濾材点検用窓４２を通じて、第１のスポンジシート５１の表面および第２のスポンジシート５２の表面を観察する。すなわち、本発明の濾過装置においては、第１のスポンジシート５１及び第２のスポンジシート５２の表面を外部から随時視認でき、それらの劣化状態を簡単に確認できる。特に、照明具７が設けられていることにより、濾過装置の設置場所に拘わらず、第１の受皿４ａ及び第２の受皿４ｂの内部を照すことができ、濾材表面を一層簡単に視認できる。
【００３８】
第１のスポンジシート５１及び第２のスポンジシート５２における劣化が確認された場合には、容器本体１の蓋６を外し、容器本体１から濾材収容篭３を引き上げるようにして取り出し、更に、濾材収容篭３の組立操作とは逆の手順により、蓋６、第１の受皿４ａ、第２の受皿４ｂを順に濾材収容篭３から取り出すことにより、第１のスポンジシート５１及び第２のスポンジシート５２を交換する。また、濾材収容篭３、第１の受皿４ａ、第２の受皿４ｂ、蓋６はそれぞれに洗浄する。すなわち、本発明の濾過装置においては、容器本体１から濾材収容篭３を取り出すだけで、極めて容易に濾材を交換することができる。
【００３９】
なお、本発明の濾過装置においては、第１のスポンジシート５１及び第２のスポンジシート５２の劣化状態を一層正確に把握するため、容器本体１の排出口１３には、流量計が設置されてもよい。第１のスポンジシート５１及び第２のスポンジシート５２の目視確認に加え、濾過水の流量の変動を流量計で確認することにより、第１のスポンジシート５１及び第２のスポンジシート５２の交換時期を一層正確に把握することができる。
【００４０】
また、本発明の濾過装置は、処理量が大きくなる場合、複数基を並列に配置して使用してもよい。更に、本発明の濾過装置は、濾材（スポンジシート５１，５２）を一層長時間使用するため、濾材（スポンジシート５１，５２）を逆洗浄するように構成されてもよい。逆洗浄手段としては、容器本体１の下部（濾材収容篭３よりも下方）から導入した水を容器本体１の上部（濾材収容篭３よりも上方）から排出する各種の手段、例えば、排出口１３から水を導入し且つ導入口１１から水を排出する流路の切替手段、あるいは、容器本体１の下部および上部にそれぞれ逆洗浄用の水の導入口と排出口を設けた構造などが挙げられる。
【符号の説明】
【００４１】
１  ：容器本体
１１：導入口
１２：覗き窓
１３：排出口
１ｃ：掛止部
２  ：上蓋
３  ：濾材収容篭
３１：把手
３２：覗き窓
３３：投光用窓
３ａ：濾材収容篭の下半部
３ｂ：濾材収容篭の上半部
３ｃ：張出片
４  ：受皿
４１：スカート部
４２：濾材点検用窓
４３：採光用窓
４ａ：第１の受皿
４ｂ：第２の受皿
５１：第１のスポンジシート
５２：第２のスポンジシート
６  ：蓋
７  ：照明具
【図１】
0005633396.tif 000002
【図２】
0005633396.tif 000003
【図３】
0005633396.tif 000004